(57)【特許請求の範囲】
【請求項１】
吸着剤が担持された吸着熱交換器（51,52）が接続されると共に冷媒が循環して冷凍サイクルを行う冷媒回路（50）と、上記各吸着熱交換器（51,52）が収納される調湿室（37,38）が形成されるケーシング（11）とを備え、上記冷媒回路（50）を流れる冷媒で上記吸着熱交換器（51,52）の吸着剤を加熱又は冷却すると共に、上記吸着熱交換器（51,52）の吸着剤と空気とを接触させて該空気を調湿し、調湿後の空気を室内へ供給する調湿装置であって、
室内へ空気を供給する給気ファン（25）と、室外へ空気を排出する排気ファン（26）とを備え、
上記ケーシング（11）には、該ケーシング（11）の側面を開放可能とするメンテナンス開口部（14a）と、上記調湿室（37,38）の下側に形成されて吸着熱交換器（51,52）から発生した結露水を回収するための水受け部材（91）とが設けられており、
上記冷媒回路（50）には、圧縮機（53）と第１と第２の上記吸着熱交換器（51,52）が接続され、
上記ケーシング（11）内には、第１の吸着熱交換器（51）を収容する第１調湿室（51）と第２の吸着熱交換器（52）を収容する第２調湿室（52）とが、仕切板（73）を挟んで上記メンテナンス開口部（14a）の手前側から奥側に向かって順に配列され、
上記水受け部材（91）は、上記第１と第２の調湿室（37,38）の間の仕切板（73）の下側を横断するように該第１と第２の調湿室（37,38）に跨って設けられ、
上記仕切板（73）の下端と水受け部材（91）の底面との間には、上記第１と第２の調湿室（37,38）を連通させる隙間部（97）が形成され、
上記水受け部材（91）の底面は、メンテナンス開口部（14a）側に向かって斜め下方に傾斜しており、
上記ケーシング（11）内には、第２調湿室（38）を流通した空気を室内へ供給すると同時に第１調湿室（37）を流通した空気を室外へ排出する第１動作と、第１調湿室（37）を流通した空気を室内へ供給すると同時に第２調湿室（38）を流通した空気を室外へ排出する第２動作とを交互に切り換えるための空気流路切換部（45,46,47,48）が設けられ、
上記第１調湿室（37）と第２調湿室（38）のうち該第１調湿室（37）だけに、上記仕切板（73）の下端の高さよりも低い水位を検知する水検知手段（98）が設けられ、
上記水検知手段（98）が上記水位を検知すると、上記給気ファン（26）及び排気ファン（25）を停止させる、又は該給気ファン（26）及び排気ファン（25）の能力を低下させる、又は上記圧縮機（53）を停止させる、又は該圧縮機（53）の能力を低下させることを特徴とする調湿装置。
【発明の詳細な説明】
【技術分野】
【０００１】
本発明は、冷媒回路に接続された吸着熱交換器で空気の湿度調節を行う調湿装置に関するものである。
【背景技術】
【０００２】
従来より、室外空気や室内空気を調湿し、調湿後の空気を室内へ供給する調湿装置が知られている。この種の調湿装置として、特許文献１には、吸着剤が担持された吸着熱交換器を備えた調湿装置が開示されている。
【０００３】
特許文献１の調湿装置では、ケーシング内の第１調湿室に第１の吸着熱交換器が設けられ、第２調湿室に第２の吸着熱交換器が設けられている。各吸着熱交換器は、冷媒回路に接続されている。冷媒回路では、第１吸着熱交換器が凝縮器となって第２吸着熱交換器が蒸発器となる動作と、第２吸着熱交換器が凝縮器となって第１吸着熱交換器が蒸発器となる動作とが行われる。蒸発器として動作する吸着熱交換器では、吸着剤に空気中の水分が吸着される。凝縮器として動作する吸着熱交換器では、水分が吸着剤から脱離して空気に付与される。
【０００４】
また、特許文献１の調湿装置は、各吸着熱交換器を通過した空気の一方を室内へ供給して他方を室外へ排出する。例えば、除湿運転中の調湿装置では、第１及び第２の吸着熱交換器のうち蒸発器として動作する方を通過した空気が室内へ供給されて凝縮器として動作する方を通過した空気が室外へ排出されるように、ケーシング内での空気の流通経路が設定される。この調湿装置では、このような空気の流通経路を複数のダンパの開閉動作によって切り換えるようにしている。具体的に、この調湿装置では、８つのダンパを開閉制御することで各吸着熱交換器を流通する空気の流通経路を変更し、除湿運転や加湿運転等を切り換えている。
【０００５】
特許文献１の調湿装置は、各吸着熱交換器において結露水（いわゆるドレン水）が発生しないように構成されている。具体的に、例えば夏季の除湿運転時において、室外空気が吸着熱交換器を通過して冷却されると、室外空気中に含まれる水分が凝縮し易くなる。しかしながら、吸着熱交換器で空気が冷却されたとしても、結露した水分は吸着熱交換器の表面の吸着剤に吸着／吸湿される。従って、この調湿装置の各吸着熱交換器では、結露水が生じない、いわゆるドレンレス化が図られている。このため、特許文献１の調湿装置では、例えば吸着熱交換器から発生する結露水を機外へ排出するためのポンプや排水管等が不要となっており、通常の空調機等で一般的に用いられるドレン水排出構造が省略されている。
【特許文献１】特開２００５−２９１５３２号公報
【発明の開示】
【発明が解決しようとする課題】
【０００６】
ところが、特許文献１に記載されているような調湿装置においても、例えば機器の故障等によって異常運転が行われると、吸着熱交換器から結露水が発生してしまう虞がある。具体的には、例えば上述の除湿運転時において、冷媒回路の構成機器に動作不良が起こると、吸着熱交換器の吸着剤が飽和状態（即ち、吸着破過状態）となり、吸着熱交換器から結露水が発生し得る。
【０００７】
従来のものでは、このような異常運転における吸着熱交換器からの結露水の発生に対して、何ら対策を講じていなかった。従って、異常運転時に吸着熱交換器から結露水が発生してしまった場合、この結露水が機内に溜まり込んでしまい、機器の故障を招く虞が生じて得る。また、このような場合には、機内に溜まった結露水を機外へ排出する作業も繁雑となってしまう。
【０００８】
本発明は、かかる点に鑑みてなされたものであり、その目的は、異常運転時等において吸着熱交換器から発生してしまった結露水を機外へ容易に排出でき、安全性や信頼性に優れた調湿装置を提供することである。
【課題を解決するための手段】
【０００９】
第１の発明は、吸着剤が担持された吸着熱交換器（51,52）が接続されると共に冷媒が循環して冷凍サイクルを行う冷媒回路（50）と、上記吸着熱交換器（51,52）が収納される調湿室（37,38）が形成されるケーシング（11）とを備え、上記冷媒回路（50）を流れる冷媒で上記吸着熱交換器（51,52）の吸着剤を加熱又は冷却すると共に、上記吸着熱交換器（51,52）の吸着剤と空気とを接触させて該空気を調湿し、調湿後の空気を室内へ供給する調湿装置を前提としている。そして、この調湿装置は、室内へ空気を供給する給気ファン（25）と、室外へ空気を排出する排気ファン（26）とを備え、上記ケーシング（11）には、該ケーシング（11）の側面を開放可能とするメンテナンス開口部（14a）と、上記調湿室（37,38）の下側に形成されて吸着熱交換器（51,52）から発生した結露水を回収するための水受け部材（91）とが設けられており、上記冷媒回路（50）には、圧縮機（53）と第１と第２の上記吸着熱交換器（51,52）が接続され、上記ケーシング（11）内には、第１の吸着熱交換器（51）を収容する第１調湿室（51）と第２の吸着熱交換器（52）を収容する第２調湿室（52）とが、仕切板（73）を挟んで上記メンテナンス開口部（14a）の手前側から奥側に向かって順に配列され、上記水受け部材（91）は、上記第１と第２の調湿室（37,38）の間の仕切板（73）の下側を横断するように該第１と第２の調湿室（37,38）に跨って設けられ、上記仕切板（73）の下端と水受け部材（91）の底面との間には、上記第１と第２の調湿室（37,38）を連通させる隙間部（97）が形成され、上記水受け部材（91）の底面は、メンテナンス開口部（14a）側に向かって斜め下方に傾斜しており、上記ケーシング（11）内には、第２調湿室（38）を流通した空気を室内へ供給すると同時に第１調湿室（37）を流通した空気を室外へ排出する第１動作と、第１調湿室（37）を流通した空気を室内へ供給すると同時に第２調湿室（38）を流通した空気を室外へ排出する第２動作とを交互に切り換えるための空気流路切換部（45,46,47,48）が設けられ、上記第１調湿室（37）と第２調湿室（38）のうち該第１調湿室（37）だけに、上記仕切板（73）の下端の高さよりも低い水位を検知する水検知手段（98）が設けられ、該水検知手段（98）が上記水位を検知すると、上記給気ファン（26）及び排気ファン（25）を停止させる、又は該給気ファン（26）及び排気ファン（25）の能力を低下させる、又は上記圧縮機（53）を停止させる、又は該圧縮機（53）の能力を低下させることを特徴とするものである。
【００１０】
第１の発明では、ケーシング（11）内の調湿室（37,38）に吸着熱交換器（51,52）が収納される。冷媒回路（50）では、冷媒が循環して冷凍サイクルが行われることで、吸着熱交換器（51,52）が蒸発器や凝縮器となる動作が行われる。例えば蒸発器となる吸着熱交換器（51,52）では、冷媒によって吸着剤が冷却される。この状態の吸着熱交換器（51,52）の吸着剤に空気が接触すると、空気中の水分が吸着剤に吸着され、この際に生じる吸着熱が冷媒の蒸発熱として利用される。このようにして水分が吸着された空気が室内へ供給されることで、室内の除湿が行われる。また、例えば凝縮器となる吸着熱交換器（52,51）では、冷媒によって吸着剤が加熱される。この状態の吸着熱交換器（52,51）の吸着剤に空気が接触すると、吸着剤から脱離（脱着）した水分が空気中へ付与される。このようにして水分が付与された空気が室内へ供給されることで、室内の加湿が行われる。
【００１１】
このような調湿装置の異常運転時等において、吸着熱交換器（51,52）の本来の機能が損なわれてしまうと、吸着熱交換器（51,52）から結露水が発生してしまう虞がある。本発明では、このような異常運転時等における吸着熱交換器（51,52）からの結露水の発生に対処すべく、調湿室（37,38）の下側に水受け部材（91）を設けている。即ち、万が一に吸着熱交換器（51,52）から結露水が発生した場合には、この結露水が水受け部材（91）に回収される。回収された水は、水受け部材（91）の底面側の傾斜面に沿ってメンテナンス開口部（14a）側に流下する。従って、調湿室（37,38）の周囲に多量の結露水が貯まり込んでしまうことが回避される。
【００１２】
また、このような結露水の発生が確認された後には、作業者等がメンテナンス開口部（14a）を開放状態とし、水受け部材（91）の下流端部をケーシング（11）の外部へ露出させる。作業者等は、このような状態で水受け部材（91）に溜まり込んだ水を機外へ排出する。ここで、水受け部材（91）の下流端部は、メンテナンス開口部（14a）の近傍に位置するため、作業者等は、このような水の排出作業を容易に行うことができる。
【００１３】
本発明のケーシング（11）内には、メンテナンス開口部（14a）に対して手前側の第１調湿室（37）に第１の吸着熱交換器（51）が収納され、メンテナンス開口部（14a）に対して奥側の第２調湿室（38）に第２の吸着熱交換器（52）が収納される。水受け部材（91）には、異常運転時等において、第１の吸着熱交換器（51）から発生する結露水を回収するための第１受け部（95）と、第２の吸着熱交換器（52）から発生する結露水を回収するための第２受け部（96）とが形成される。例えば第１の吸着熱交換器（51）から結露水が発生してしまった場合に、この結露水は第１受け部（95）に回収される。回収後の水は、第１受け部（95）の底面側の傾斜面に沿ってメンテナンス開口部（14a）側に流下する。従って、第１調湿室（37）に結露水が貯まり込むことが防止されると共に、作業者等はメンテナンス開口部（14a）から結露水の排出作業を容易に行うことができる。
【００１４】
また、例えば第２の吸着熱交換器（52）から結露水が発生してしまった場合には、この結露水が第２受け部（96）に回収される。第２受け部（96）に回収された結露水は、第１受け部（95）に流出し、第１受け部（95）の傾斜面に沿ってメンテナンス開口部（14a）側に流下する。従って、メンテナンス開口部（14a）に対して奥側に位置する第２調湿室（38）においても、結露水の貯まり込みが防止され、作業者等はメンテナンス開口部（14a）から結露水の排出作業を容易に行うことができる。
【００１５】
本発明の水受け部材（91）は、２つの調湿室（37,38）に跨るように形成される。第２受け部（96）に回収された結露水は、第２受け部（96）の底面側の傾斜面に沿って仕切板（73）側に流下する。この結露水は、仕切板（73）の下端と水受け部材（91）の底面との間の隙間部（97）を通過して、第１受け部（95）へ流出し、第１受け部（95）の底面側の傾斜面に沿ってメンテナンス開口部（14a）側に流下する。以上のように、第２受け部（96）から上記隙間部（97）を通過して第１受け部（95）へ流出した結露水や、第１受け部（95）に直接回収された結露水は、最終的にメンテナンス開口部（14a）側へ流れる。従って、第１調湿室（37）や第２調湿室（38）での結露水の貯まり込みが防止されると共に、作業者等はメンテナンス開口部（14a）から結露水の排出作業を容易に行うことができる。
【００１６】
本発明の２つの動作においても、いずれか一方の調湿室（37,38）の内圧が、他方の調湿室（38,37）の内圧よりも低くなる。具体的に、例えば調湿室（37,38）から流出した空気を室外へ排出するためのダクトの通気抵抗により、室外排出側の流路の圧力損失が大きくなる場合、このように室外排出側のダクトと繋がる調湿室（37,38）の内圧が、室内供給側のダクトと繋がる調湿室（38,37）の内圧よりも大きくなる。従って、上記２つの動作を交互に繰り返すと、第１調湿室（37）の内圧が第２調湿室（38）の内圧よりも低くなる状態と、第２調湿室（38）の内圧が第１調湿室（37）の内圧よりも低くなる状態とが、交互に繰り返されることになる。そこで、本発明においても、２つの動作のうちの一方の動作において、両調湿室（37,38）の内圧差を利用して、第２調湿室（38）の第２受け部（96）に回収された水を隙間部（97）を通じて第１受け部（95）へ圧送するようにしている。
【００１７】
本発明では、第１調湿室（37）に水検知手段（98）が設けられる。異常運転時等において吸着熱交換器（51,52）から結露水が発生した場合に、水受け部材（91）に回収された水がメンテナンス開口部（14a）側（即ち、下流端部側）に溜まり込むと、水検知手段（98）はこのような水溜まりを検出する。従って、異常運転時等において、吸着熱交換器（51,52）から結露水が発生してしまったことを速やかに把握することができ、結露水対策を迅速に行うことができる。
【発明の効果】
【００１８】
本発明では、異常運転等において吸着熱交換器（51,52）から発生した結露水を回収するための水受け部材（91）を設け、水受け部材（91）の底面をケーシング（11）のメンテナンス開口部（14a）側に傾斜させている。これにより、本発明によれば、結露水が調湿室（37,38）に溜まり込んでしまうのを防止でき、例えば吸着熱交換器（51,52）や他の機器に水が付着して支障が生じてしまうのを確実に回避できる。従って、この調湿装置の信頼性、安全性の向上を図ることができる。また、回収後の水は、メンテナンス開口部（14a）側に集められるので、作業者等はメンテナンス開口部（14a）から排水作業を容易に行うことができ、メンテナンス性の向上を図ることができる。
【００１９】
また、本発明では、メンテナンス開口部（14a）に対して奥側に位置する第２調湿室（38）で発生した結露水も水受け部材（91）を介してメンテナンス開口部（14a）側へ流下させるようにしている。ここで、第２調湿室（38）で結露水が発生した場合において、本発明のような水受け部材（91）がない場合、奥側に位置する第２調湿室（38）に溜まった結露水を機外へ排出するのが非常に煩雑な作業となるが、本発明では、第２調湿室（38）で発生した結露水もメンテナンス開口部（14a）側から容易に排出することができる。
【００２０】
本発明では、第１調湿室（37）と第２調湿室（38）との間の仕切板（73）の下側に隙間部（97）を形成し、第１調湿室（37）と第２調湿室（38）とに跨るように水受け部材（91）を形成している。これにより、本発明によれば、比較的単純な構造により、第２受け部（96）で回収した水を隙間部（97）を通じて第１受け部（95）へ送ることができる。
【００２１】
本発明によれば、空気流路切換機構（41〜48）によって２つの動作を交互に切り換えるようにしている。これにより、第２調湿室（38）の内圧よりも第１調湿室（37）の内圧が小さくなる状態を確実に作り出すことができ、このような両調湿室（37,38）の内圧差を利用して、第２受け部（96）の水を第１受け部（95）へ確実に送ることができる。一方、第１受け部（95）や第２受け部（96）の底面の傾斜を利用することで、第１受け部（95）の水が第２受け部（96）へ逆流してしまうのも確実に防止できる。従って、水受け部材（91）で回収した水を一層確実にメンテナンス開口部（14a）側へ送ることができ、各調湿室（37,38）での水溜まりも確実に防止できる。
【００２２】
また、本発明では、第１調湿室（37）に水検知手段（98）を設けるようにしているので、異常運転等において吸着熱交換器（51,52）から結露水が発生してしまったことを速やかに把握できる。また、水検知手段（98）は、メンテナンス開口部（14a）寄りに設けられているので、この水検知手段（98）のメンテナンスも比較的容易に行うことができる。
【００２３】
また、本発明のように２つの調湿室（37,38）の内圧差を利用して第２受け部（96）の水を第１受け部（95）へ送った直後に水検知手段（98）が水溜まりを検知すると、その後には調湿装置の運転が停止されて空気流路切換機構（41〜48）による切り換え動作が行われない。この場合には、切り換え動作の逆転に伴い第１調湿室（37）の内圧が再び第２調湿室（38）の内圧よりも大きくなることがないので、第１受け部（95）から第２受け部（96）へ水が逆流してしまうこともない。従って、この場合には調湿装置の運転停止後に第１受け部（95）へ必ず水が溜まることになるので、メンテナンス開口部（14a）から容易に水を引き抜くことができる。
【発明を実施するための最良の形態】
【００２４】
以下、本発明の実施形態を図面に基づいて詳細に説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２５】
〈調湿装置の全体構成〉
調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２６】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００２７】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００２８】
上記第１側面パネル部（14）には、背面パネル部（13）から前面パネル部（12）の近傍に亘って第１メンテナンス蓋（14a）が形成されている（図１では、第１メンテナンス蓋（14a）を透視させて表している）。第１メンテナンス蓋（14a）は、ケーシング（11）に対して着脱自在であり、ケーシング（11）の側面を開放可能とするメンテナンス開口部を構成している。
【００２９】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００３０】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００３１】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００３２】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００３３】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３４】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（86）とが設置されている。外気側通路（34）は、外気吸込口（24）に接続するダクトを介して室外空間と連通している。外気側通路（34）には、外気側フィルタ（28）と外気湿度センサ（87）とが設置されている。
【００３５】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。これらの熱交換器室（37,38）は、各吸着熱交換器（51,52）を収納すると共に空気を調湿するための調湿室を構成している。また、図示しないが、第１熱交換器室（37）には、冷媒回路（50）の電動膨張弁（55）が収容されている。
【００３６】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。
【００３７】
以上のように、第１熱交換器室（37）と第２熱交換器室（38）とは、上記第１側面パネル部（14）の第１メンテナンス蓋（14a）に対し、その手前側から奥側に向かって配列されるように形成されている。また、上述した第１仕切板（74）は、第１熱交換器室（37）の内部を露出させるようにケーシング（11）に着脱自在に取り付けられている。また、２つの熱交換器室（37,38）の下側には、両熱交換器室（37,38）に跨るようにして底板ユニット（90）が設けられている。底板ユニット（90）の詳細は後述する。
【００３８】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００３９】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。これらのダンパ（41〜44）は、空気の流路を変更して後述する２つの動作を交互に切り換えるための空気流路切換機構を構成している。
【００４０】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。これらのダンパ（45〜48）は、空気の流路を変更して後述する２つの動作を交互に切り換えるための空気流路切換機構を構成している。
【００４１】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００４２】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン室（36）は、下流側仕切板（72）側から吸い込んだ空気を給気口（22）へ吹き出す。排気ファン室（35）は、下流側仕切板（72）側から吸い込んだ空気を排気口（21）へ吹き出す。
【００４３】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００４４】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００４５】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００４６】
なお、図２の右側面図及び左側面図では、第１バイパス通路（81）、第２バイパス通路（82）、第１バイパス用ダンパ（83）、及び第２バイパス用ダンパ（84）の図示を省略している。
【００４７】
〈冷媒回路の構成〉
図３に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００４８】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００４９】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００５０】
〈底板ユニットの構成〉
上述のように、２つの熱交換器室（37,38）の下側には、底板ユニット（90）が敷設されている。図４〜図６に示す底板ユニット（90）は、その外形が縦長の長方形状に形成されている。底板ユニット（90）は、中央仕切板（73）の下側に配設され、第１仕切板（74）から第２仕切板（75）に亘って延びて形成されている。
【００５１】
底板ユニット（90）は、上側が開放された角型容器状に形成される容器部材（91）と、容器部材（91）の内部に設けられる台座（92）とを有している。図５に示すように、容器部材（91）には、その幅方向の両端に側壁（91a,91a）が立設している。そして、これらの側壁（91a,91a）の上端には、容器部材（91）の幅方向外側に向かって曲げ部（91b,91b）が形成されている。
【００５２】
台座（92）は、底板ユニット（90）の幅方向の中間部よりもやや背面パネル（13）側寄りに配置されている。また、台座（92）は、底板ユニット（90）の長手方向の両端に跨るように延びている。台座（92）は、台座本体（93）と一対のレール部（94）とを有している。
【００５３】
台座本体（93）は、その概略の縦断面形状が下側に開放する「コ」の字状に形成されている。つまり、台座本体（93）は、一対の側壁（93a）と、各側壁（93a）の間に介設される上板（93b）とを有している。また、台座本体（93）の側壁（93a）の下端部には、幅方向外側に向かって曲げ部（93c）が形成され、この曲げ部（93c）が台座（92）の底面に固定されている。
【００５４】
一対のレール部（94,94）は、台座本体（93）の両側壁（93a）の上端部から上方に突設され、底板ユニット（90）の長手方向の両端に跨るように延びている。一対のレール部（94,94）は、互いに平行に延びており、両レール部（94,94）の間には各吸着熱交換器（51,52）がスライド可能に介設されている。このレール部（94,94）の間で各吸着熱交換器（51,52）をスライドさせることにより、各吸着熱交換器（51,52）が第１側面パネル部（14）側へ引き出し可能となっている。
【００５５】
上記容器部材（91）は、調湿装置（10）の異常運転時等において、各吸着熱交換器（51,52）から発生する結露水を回収するための水受け部材を構成している。図６に示すように、容器部材（91）は、第１熱交換器室（37）と第２熱交換器室（38）に跨っている。そして、容器部材（91）では、第１熱交換器室（37）に臨む部位が第１受け部（95）を構成し、第２熱交換器室（38）に臨む部位が第２受け部（96）を構成している。
【００５６】
容器部材（91）の底面は、第２受け部（96）から第１受け部（95）に亘って連続的に傾斜している。そして、容器部材（91）では、第１受け部（95）の底面が第１傾斜面（95a）を構成し、第２受け部（96）の底面が第２傾斜面（96a）を構成している。第１傾斜面（95a）は、中央仕切板（73）側から第１仕切板（74）（即ち、第１側面パネル部（14））側に向かって斜め下方へ傾斜している。つまり、第１傾斜面（95a）は、回収した結露水を第１仕切板（74）側に流下させるように構成されている。また、第２傾斜面（96a）は、第２側面パネル部（15）側から中央仕切板（73）側に向かって斜め下方に傾斜している。つまり、第２傾斜面（96a）は、回収した結露水を中央仕切板（73）側に流下させるように構成されている。
【００５７】
容器部材（91）の底面と中央仕切板（73）の下端との間は完全にシールされていない。従って、容器部材（91）と中央仕切板（73）との間には僅かな隙間部（97）が形成されている。この隙間部（97）により、第１熱交換器室（37）と第２熱交換器室（38）とは互いに連通している。この隙間部（97）は、第２受け部（96）に回収された水を第１受け部（95）へ流すための水流通路を構成している。なお、図６においては、隙間部（97）の間隔を実際の間隔よりも拡大して表すようにしている。
【００５８】
また、容器部材（91）では、第１受け部（95）の内部にフロートスイッチ（98）が設けられている。フロートスイッチ（98）は、第１受け部（95）における水流れの下流端部で、且つ吸着熱交換器（51）における空気流れの下流側に配置されている。フロートスイッチ（98）は、第１受け部（95）の下流端部に溜まった水が所定の水位に達すると、これに伴いフロートが上昇し、水位があがったことを検出する。つまり、フロートスイッチ（98）は、第１受け部（95）の下流端部に水が溜まっていることを検出する水検知手段を構成している。フロートスイッチ（98）が水溜まりを検出すると、電装品箱の制御部に信号が出力される。本実施形態において、フロートスイッチ（98）から検出信号が出力されると、上記制御部は、調湿装置（10）の運転を強制的に停止させるように構成されている。ここで、フロートスイッチ（98）が検出信号を出力する高さ位置は、中央仕切板（73）の下端の高さ位置よりも低く設定されている。
【００５９】
−運転動作−
本実施形態の調湿装置（10）は、除湿換気運転と、加湿換気運転と、単純換気運転とを選択的に行う。除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【００６０】
〈除湿換気運転〉
除湿換気運転中の調湿装置（10）では、後述する第１動作と第２動作が所定の時間間隔（例えば３分間隔）で交互に繰り返される。この除湿換気運転中において、第１バイパス用ダンパ（83）及び第２バイパス用ダンパ（84）は、常に閉状態となる。
【００６１】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００６２】
先ず、除湿換気運転の第１動作について説明する。図７に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００６３】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００６４】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００６５】
次に、除湿換気運転の第２動作について説明する。図８に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６６】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００６７】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００６８】
〈加湿換気運転〉
加湿換気運転中の調湿装置（10）では、後述する第１動作と第２動作が所定の時間間隔（例えば４分間隔）で交互に繰り返される。この加湿換気運転中において、第１バイパス用ダンパ（83）及び第２バイパス用ダンパ（84）は、常に閉状態となる。
【００６９】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００７０】
先ず、加湿換気運転の第１動作について説明する。図９に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００７１】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００７２】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００７３】
次に、加湿換気運転の第２動作について説明する。図１０に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００７４】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００７５】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００７６】
〈単純換気運転〉
単純換気運転中における調湿装置（10）の動作について、図１１を参照しながら説明する。
【００７７】
単純換気運転中の調湿装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。
【００７８】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００７９】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００８０】
〈結露水対策について〉
本実施形態の調湿装置（10）では、吸着熱交換器（51,52）から結露水が発生しない、いわゆるドレンレスの運転が可能となっている。つまり、吸着熱交換器（51,52）では、その表面に吸着剤が担持されており、吸着剤が飽和状態に至る前に上記第１動作と第２動作とを切り換えているので、吸着熱交換器（51,52）の吸着剤で水分が吸着されずに結露水が発生してしまうことは通常ない。従って、この調湿装置（10）では、原則として吸着熱交換器（51,52）の結露水対策は不要であり、例えばケーシング（11）の外部へ結露水を排出するための公知のドレン配管等も有していない。
【００８１】
ところが、上述した各運転時において、例えば四方切換弁（54）の切換不良等により冷媒回路（50）で正常な冷凍サイクルが行えなくなると、吸着熱交換器（51,52）から結露水が発生する虞がある。即ち、調湿装置（10）で異常な運転が行われると、吸着熱交換器（51,52）の吸着剤が飽和状態（吸着破過状態）となる可能性があり、この場合には吸着熱交換器（51,52）からの結露水の発生を回避できなくなる。そこで、本実施形態の調湿装置（10）では、このような異常運転時における結露水対策として、吸着熱交換器（51,52）の下側に容器部材（91）を設けている。
【００８２】
例えば上述した除湿換気運転時において、何らかの異常が生じて第１吸着熱交換器（51）から結露水が発生したとする。この場合、第１吸着熱交換器（51）から滴下した結露水は、容器部材（91）の第１受け部（95）に回収される。第１受け部（95）に回収された水は、第１受け部（95）の第１傾斜面（95a）に沿って第１仕切板（74）側に流下する。その結果、第１受け部（95）の下流端部の水位が上昇する。この水位の上昇に伴い、フロートスイッチ（98）のフロートが所定の高さに達すると（図１２参照）、フロートスイッチ（98）から制御部へ信号が出力される。この信号を受けた制御部は、運転を停止させるように調湿装置（10）を制御する。その結果、排気ファン（25）、給気ファン（26）、圧縮機（53）等が停止状態となり、換気動作及び冷媒回路（50）の冷凍サイクルが強制的に終了する。
【００８３】
以上のようにして調湿装置（10）の運転が停止すると、例えば第１吸着熱交換器（51）から結露水が継続して発生してしまうことが回避される。その後、作業者等は、第１メンテナンス蓋（14a）及び第１仕切板（74）をケーシング（11）から取り外し、第１受け部（95）をケーシング（11）の外部へ露出させる状態とする。この状態でおいて、作業者等は、第１受け部（95）に溜まった水を機外へ排出する。なお、上記フロートスイッチ（98）が水溜まりを検出すると、異常信号を表示させるようにしても良い。この場合には、ユーザーや作業者等が、容器部材（91）に水が溜まってしまったことを速やかに把握することができ、結露水の発生に対して速やかに対策を講じることができる。
【００８４】
次に、例えば上述した除湿換気運転時において、何らかの異常が生じて第２吸着熱交換器（52）から結露水が発生したとする。この場合、第２吸着熱交換器（52）から滴下した結露水は、容器部材（91）の第２受け部（96）に回収される。第２受け部（96）に回収された水は、第２受け部（96）の第２傾斜面（96a）に沿って中央仕切板（73）側へ流下する。この水は、隙間部（97）を通じて第１受け部（95）へ流出する。第１受け部（95）に流出した水は、第１傾斜面（95a）に沿って第１仕切板（74）側へ流下する。その結果、第１受け部（95）の下流端部の水位が上昇し、フロートスイッチ（98）がＯＮ状態となり、調湿装置（10）の運転が停止される。作業者等は、上述と同様にして第１メンテナンス蓋（14a）及び第１仕切板（74）を取り外し、第１受け部（95）内の水を機外へ排出する。
【００８５】
また、本実施形態では、上記の如く第２受け部（96）に水が回収された場合に、２つの熱交換器室（37,38）の内圧差を利用して第２受け部（96）側の水を第１受け部（95）側へ送るようにしている。この点について詳細に説明する。
【００８６】
上述した除湿換気運転や加湿換気運転では、室外空気を第１熱交換器室（37）に流通させて室内へ供給すると同時に室内空気を第２熱交換器室（38）に流通させて室外へ排出する動作と、室外空気を第２熱交換器室（38）に流通させて室内へ供給すると同時に室内空気を第１熱交換器室（37）に流通させて室外へ排出する動作とが交互に繰り返されている。一方、調湿装置（10）では、排気口（21）、給気口（22）、内気吸込口（23）、及び外気吸込口（24）にそれぞれダクトが接続されており、このダクトの長さ等に応じて空気の流路に所定の通風抵抗が付与される。従って、上記２つの動作を交互に繰り返す場合、いずれか一方の動作において、第１熱交換器室（37）の内圧が第２熱交換器室（38）の内圧よりも小さくなり、他方の動作においては、逆に第１熱交換器室（37）の内圧が第２熱交換器室（38）の内圧よりも大きくなる。なお、２つの動作において、第１熱交換器室（37）及び第２熱交換器室（38）の内圧が完全に等しくなることは、現実的にあり得ない。
【００８７】
本実施形態では、２つの動作を交互に繰り返すと、いずれかの動作において第１熱交換器室（37）の内圧が第２熱交換器室（38）の内圧よりも小さくなることを利用して、第２受け部（96）内に回収された水を第１受け部（95）へ圧送している。具体的に、上記２つの動作のうちの一方の動作で、第１熱交換器室（37）の内圧が第２熱交換器室（38）の内圧よりも小さくなると、第２熱交換器室（38）側では隙間部（97）を通じて第１熱交換器室（37）側の負圧が作用する。これにより、第２受け部（96）に回収された水は、隙間部（97）に吸引され、この隙間部（97）を通じて第１受け部（95）へ流出する。このようにして、第２受け部（96）側の水は第１受け部（95）側へ積極的に送られ、第１受け部（95）の下流端部まで流下する。
【００８８】
一方、２つの動作のうちの他方の動作では、第２熱交換器室（38）の内圧が第１熱交換器室（37）の内圧よりも小さくなる。しかしながら、第１受け部（95）や第２受け部（96）には、傾斜面（95a,96a）が形成されているので、第１受け部（95）側の水が隙間部（97）を通じて第２受け部（96）側へ逆戻りしてしまうことも抑制されている。
【００８９】
−実施形態の効果−
以上のように、上記実施形態では、異常運転等において吸着熱交換器（51,52）から発生した結露水を回収するための容器部材（91）を設け、容器部材（91）の底面をケーシング（11）のメンテナンス開口部（14a）側に傾斜させている。これにより、結露水が熱交換器室（37,38）に溜まり込んでしまうのを防止でき、吸着熱交換器（51,52）や他の機器に水が付着して支障が生じてしまうのを確実に回避できる。従って、この調湿装置（10）の信頼性、安全性の向上を図ることができる。また、回収後の水は、メンテナンス開口部（14a）側に集められるので、作業者等はメンテナンス開口部（14a）から排水作業を容易に行うことができ、メンテナンス性の向上を図ることができる。
【００９０】
また、メンテナンス開口部（14a）に対して奥側に位置する第２熱交換器室（38）で発生した結露水を第２受け部（96）で回収し、この水を隙間部（97）を通じて第１受け部（95）へ送るようにしている。ここで、第２熱交換器室（38）で結露水が発生した場合において、仮に第２受け部（96）側に水が溜まったままであると、この水をメンテナンス開口部（14）側から機外へ排出するのが非常に煩雑となる。しかし、上記実施形態では、第２受け部（96）側の水をメンテナンス開口部（14）の近傍の第１受け部（95）へ送っているので、メンテナンス開口部（14a）側から容易に排水作業を行うことができる。
【００９１】
更に、容器部材（91）では、調湿装置（10）の２つの動作に切り換えに伴う両熱交換器室（37,38）の内圧差を利用して、第２受け部（96）側の水を第１受け部（95）側へ圧送している。従って、第２受け部（96）に回収された水を一層確実に第１受け部（95）へ送ることができる。また、上記隙間部（97）の間隔を必要最小限に抑えることができるので、通常運転時において、一方の熱交換器室（37,38）を流れる空気が他方の熱交換器室（38,37）へ漏れてしまうことも抑制できる。
【００９２】
また、容器部材（91）の下流端部にフロートスイッチ（98）を設けると共に、この下流端部の水位が所定高さ以上になると、調湿装置（10）の運転を停止するようにしている。従って、異常運転等が継続して行われることがなく、結露水が更に発生してしまうのを速やかに解消できる。従って、調湿装置（10）の安全性や信頼性を更に向上できる。
【００９３】
《その他の実施形態》
上記実施形態については、以下のような構成としても良い。
【００９４】
本実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【００９５】
また、上記実施形態の制御部は、フロートスイッチ（98）が水溜まりを検出すると、調湿装置（10）の運転を停止させているが、必ずしも運転を停止させなくても良く、例えば圧縮機（53）や各ファン（25,26）の運転能力を低減させるようにしても良い。
【００９６】
また、容器部材（91）内の水溜まりを検出する水検知手段としては、フロートスイッチ（98）以外の手段を用いても良い。この水検知手段としては、例えば圧力式、超音波式、静電容量式の水位レベルセンサ等が挙げられる。
【００９７】
なお、以上の実施形態は、本質的に好ましい例示であって、本発明、その適用物、あるいはその用途の範囲を制限することを意図するものではない。
【産業上の利用可能性】
【００９８】
以上説明したように、本発明は、冷媒回路に接続された吸着熱交換器で空気の湿度調節を行う調湿装置について有用である。
【図面の簡単な説明】
【００９９】
【図１】図１は、前面側から見た調湿装置をケーシングの一部および電装品箱を省略して示す斜視図である。
【図２】図２は、調湿装置の一部を省略して示す概略の平面図、右側面図、及び左側面図である。
【図３】図３は、冷媒回路の構成を示す配管系統図であって、(Ａ)は第１動作中の動作を示すものであり、(Ｂ)は第２動作中の動作を示すものである。
【図４】図４は、底板ユニットの概略構成を示す平面図である。
【図５】図５は、図４についてのＸ−Ｘ線断面図である。
【図６】図６は、図４についてのＹ−Ｙ線断面図である。
【図７】図７は、除湿換気運転の第１動作における空気の流れを示す調湿装置の概略の平面図、右側面図、及び左側面図である。
【図８】図８は、除湿換気運転の第２動作における空気の流れを示す調湿装置の概略の平面図、右側面図、及び左側面図である。
【図９】図９は、加湿換気運転の第１動作における空気の流れを示す調湿装置の概略の平面図、右側面図、及び左側面図である。
【図１０】図１０は、加湿換気運転の第２動作における空気の流れを示す調湿装置の概略の平面図、右側面図、及び左側面図である。
【図１１】図１１は、単純換気運転における空気の流れを示す調湿装置の概略の平面図、右側面図、及び左側面図である。
【図１２】図１２は、図４についてのＹ−Ｙ線断面図であり、容器部材の内部に結露水が回収された状態を示すものである。
【符号の説明】
【０１００】
11      ケーシング
14a     第１メンテナンス蓋（メンテナンス開口部）
37      第１熱交換器室（第１調湿室）
38      第２熱交換器室（第２調湿室）
51      第１吸着熱交換器（吸着熱交換器）
52      第２吸着熱交換器（吸着熱交換器）
41〜48  ダンパ（空気流路切換機構）
50      冷媒回路
73      中央仕切板（仕切板）
91      容器部材（水受け部材）
95      第１受け部
96      第２受け部
98      フロートスイッチ（水検知手段）                    
【図１】
0005245357.tif 000002
【図２】
0005245357.tif 000003
【図３】
0005245357.tif 000004
【図４】
0005245357.tif 000005
【図５】
0005245357.tif 000006
【図６】
0005245357.tif 000007
【図７】
0005245357.tif 000008
【図８】
0005245357.tif 000009
【図９】
0005245357.tif 000010
【図１０】
0005245357.tif 000011
【図１１】
0005245357.tif 000012
【図１２】
0005245357.tif 000013